(57)【要約】      （修正有）【課題】額部からの汗を吸収し汗による帽子のずれ及び不快感などを解消することができ帽子の汗による汚れを緩和することができるパットを提供する。【解決手段】職業によって使用する帽子も違いますが，帽子の種類別に合ったサイズの物を装着することで額部から出る汗を吸い取り，不快感や発汗作用による汚れも緩和されマジックテープ（登録商標）で固定されるため，ずれたりすることも無くなる。【選択図】図１
0003126144.tif 000002
【実用新案登録請求の範囲】
【請求項１】
タオル生地を縫い合わせた汗吸収用パットの装着面にマジックテープ（雌）を縫い付けた帽子用汗取りパット。
【考案の詳細な説明】
【考案の詳細な説明】
【０１】（１）  タオル生地（たて３ｃｍ×よこ２１ｃｍ）を２枚重ね，縫い合わせ一枚のパットを作成し，その装着面にマジックテープ（雌の方）を縫い付け汗吸収パットを作成する。
（２）  帽子内側の額部に汗吸収パットを取り付けるためのマジックテープ（雄の方）を縫い付ける。
【考案が解決しようとする課題】
【０２】（１）  職業によって使用する帽子の種類も違うが，気温の上昇によって額部から出る汗が不快感を無くし，それを拭おうとする行為が頻繁となることから，種々の事故を誘発することも考えられる。
（２）  額部からの汗は，発汗量も多くそれによって帽子が汚れやすくなり衛生的にも悪い。
（３）  帽子の種類によっては，発汗作用によって帽子が滑りやすい。其々の問題を解決するためハンカチとかタオルなどをはさんで使用している職業人も多く，それは，固定されてないため帽子のなかでずれが生じ見栄えもわるくなる。
【課題を解決するための手段】
【０３】（１）  職業によって使用する帽子の種類も違いますが，それには今回出願する考案名称「アセトール」を帽子の種類別に合ったサイズを作成しそれを帽子に装着することで，額部からの汗を吸い取り不快感もなくなり頻繁な汗拭きもなくなる。
（２）  額部からの汗は，発汗量も多くそれによって帽子に汗が染み込み濡らしてしまい汚れの原因となる為，今回出願する考案名称「アセトール」を帽子に装着することで額部からの汗を吸い取り，汚れを緩和することができる。
また，使用中の「アセトール」が汗で濡れきたら予備用の「アセトール」を交換することによって常に清潔を保てる。
（３）  今回出願する考案名称「アセトール」は，各種帽子にマジックテープによって接着固定されるため帽子からずれたり，落ちたりすることがなく自分の好きな位置に装着することができる。
【考案を実施するための最良の形態】  考案名称「アセトール」は，タオル生地を（縦３ｃｍ×横２１ｃｍ）２枚重ね，それを縫い合わせ一枚の汗吸収用パットを作成し，その装着面にマジックテープ（雌）を縫い付けたもの。
【実施例】  使用する帽子の内側前頭額部にマジックテープ（雄の方）を縫い付け，考案名称「アセトール」を装着することで，額部からの汗を吸収し帽子の汚れを緩和する。
【考案の効果】
考案名称「アセトール」を使用することによって，額部からの汗を吸収し汗による帽子のずれ及び不快感などを解消することができ帽子の汗による汚れを緩和することができる。
そして，汗を吸収した「アセトール」は予備の物とすぐ交換することができ交換したアセパットは洗濯して交換用として再度使用することができる。
また，考案名称「アセトール」に職業名や会社名など独自のデザインを入れることで見栄えも良くなる。
【図１】
0003126144.tif 000003
【図２】
0003126144.tif 000004
【図３】
0003126144.tif 000005
【手続補正書】
【提出日】平成18年1月25日(2006.1.25)
【手続補正１】
【補正対象書類名】実用新案登録請求の範囲
【補正対象項目名】全文
【補正方法】変更
【補正の内容】
【実用新案登録請求の範囲】
【請求項１】
タオル生地を縫い合わせた汗吸収用パットの装着面に面ファスナー（雌）を縫い付けた帽子用汗取りパット。
【手続補正２】
【補正対象書類名】明細書
【補正対象項目名】全文
【補正方法】変更
【補正の内容】
【書類名】明細書    【発明の名称】（アセトール）    【考案の詳細な説明】    【０００１】  （１）  タオル生地（たて３ｃｍ×よこ２１ｃｍ）を２枚重ね，縫い合わせ一枚のパットを作成し，装着面に面ファスナー（雌の方）を縫い付けて汗吸収パットを作成する。  （２）  帽子内側の額部に汗吸収パットを取り付けるため，面ファスナーの（雄の方）を縫い付ける。    【考案が解決しようとする課題】    【０００２】  （１）  職業によって使用する帽子の種類も違いますが，気温の上昇により額部から出る汗が不快感となり，それを拭おうとする行為が頻繁になることから，種々の事故を誘発することも考えられる。  （２）  額部からの汗は，発汗量も多くそれによって帽子が汚れやすくなり，衛生的にも悪い。  （３）  帽子の種類によっては，発汗作用によって帽子が滑りやすくなり，其々の問題を解決するためハンカチとかタオルなどをはさんで使用している職業人も多くそれは，固定されてないため帽子のなかでずれが生じ見栄えもわるくなる。    【課題を解決するための手段】    【０００３】  （１）  職業によって使用する帽子の種類も違いますが，それには今回出願する考案名称「アセトール」を帽子の種類別に合ったサイズを作成しそれを帽子の額部に装着することで，額部からの汗を吸い取り不快感もなくなり，頻繁な汗拭きもなくなる。  （２）  額部からの汗は，発汗量も多くそれによって帽子に汗が染み込んで濡れてしまい汚れの原因となるため，今回出願する考案名称「アセトール」を帽子に装着することで額部からの汗を吸い取り，汚れを緩和することができる。  また，使用中の「アセトール」が汗で濡れてきたら予備用の「アセトール」を交換することによって常に清潔を保てる。  （３）  今回出願する考案名称「アセトール」は，各種帽子に面ファスナーによって接着固定されるため帽子からずれたり，落ちたりすることがなく自分の好きな位置に装着することができる。    【考案の効果】    【０００４】  考案名称「アセトール」を使用することによって，額部からの汗を吸収し，汗による帽子のずれ及び不快感などを解消することができ帽子の汗による汚れを緩和することができる。  そして，汗を吸収した「アセトール」は予備の物とすぐ交換することができ交換した「アセトール」は洗濯して交換用として再度使用することができる。  また，考案名称「アセトール」に職業名や会社名など独自のデザインを入れることで見栄えも良くなる。    【考案を実地するための最良の形態】    【０００５】  （１）  タオル生地（たて３ｃｍ×よこ２１ｃｍ）を２枚重ね，縫い合わせ一枚の汗吸収パットを作成し，装着面に面ファスナー（雌の方）を縫い付けて考案名称「アセトール」を作成する。  （２）  帽子内側の額部に考案名称「アセトール」を取り付けるため面ファスナーの（雄の方）を縫い付ける。    【実施例１】    【０００６】  帽子の内側前頭額部に面ファスナー（雄の方）を縫い付け，考案名称「アセトール」を装着することで額部からの汗を吸収し帽子の汚れを緩和することができる。    【考案の効果】    【０００７】  考案名称「アセトール」を使用することによって，額部からの汗を吸収し，汗による帽子のずれ及び不快感などを解消することができ帽子の汗による���れを緩和することができる。  そして，汗を吸収した「アセトール」は予備の物と交換することができ汚れた「アセトール」は，洗濯して交換用として再度使用することができる。    【図面の簡単な説明】    【０００８】    【図１】見取図    【図２】表面図    【図３】裏面図    【図４】使用図    【符号の説明】    【０００９】  〔図１〕    （１）  符号▲１▼▲２▼は，タオル生地（縦３ｃｍ×横２１ｃｍ）を汗吸収用パットとして加工した物です。    （２）  符号▲３▼は，汗吸収用パットを帽子内側前頭部に接着させるための面ファスナー（雌の方）です。    （３）  符号▲１▼▲２▼を縫い合わせ装着面に符号▲３▼を縫い付けると考案名称「アセトール」の完成です。  〔図２〕    （１）  符号▲４▼は，考案名称「アセトール」です。  〔図３〕    （１）  符号▲５▼は，符号▲４▼考案名称「アセトール」の裏面図で汗吸収用パット。    （２）  符号▲６▼は考案名称「アセトール」を帽子内側前頭部に接着させるための面ファスナー（雌の方）です。  〔図４〕    （１）  符号▲７▼は，考案名称「アセトール」を接着させるための面ファスナー（雄の方）を縫い付けます。    （２）  考案名称「アセトール」の面ファスナー（雌の方）の部分を符号▲７▼の部分に接着させて使用します。【手続補正３】
【補正対象書類名】図面
【補正対象項目名】全図
【補正方法】変更
【補正の内容】
【図１】
0003126144.tif 000006
【図２】
0003126144.tif 000007
【図３】
0003126144.tif 000008
【図４】
0003126144.tif 000009